(57)【特許請求の範囲】
【請求項１】
第１の構成部材および第２の構成部材を含んで基板ケースが構成され、当該第１の構成部材と当該第２の構成部材とが互いに係合して遊技機の基板を収容するための収容空間を形成し、当該第１の構成部材と当該第２の構成部材とにわたってシール部材を貼付して封印する基板ケースの封印方法であって、
前記第１の構成部材に貼付される前記シール部材の第１の貼付部分と前記第２の構成部材に貼付される当該シール部材の第２の貼付部分との間に位置する当該シール部材の中間部分を、当該第１の構成部材と当該第２の構成部材との間に形成される空間に位置して前記基板ケースに貼付されず切断されたことの痕跡を残すことが可能な未貼付部分とすることを特徴とする基板ケースの封印方法。
【発明の詳細な説明】
【技術分野】
【０００１】
本発明は、例えばパチンコ遊技機等の遊技機が備える基板に対する不正行為を防止するのに用いられる基板ケースの封印方法に関するものである。
【背景技術】
【０００２】
パチンコ遊技機等の遊技機では、遊技球が始動口等の役物に入賞することにより大当たりの抽選が行われる。そして、大当たりに当選した場合には、遊技機は、大入賞口が開放されて、多くの賞球を獲得し得る大当たり遊技状態となる。したがって、遊技機が設置されたホールでは、遊技者は、遊技機を大当たり遊技状態にすべく、遊技球を打つことで入賞による大当たりの抽選が行われるように遊技を行う。
【０００３】
このような遊技機は、遊技の制御や演出の制御等を行うための各種の基板を備えている。そして、このような遊技機は、例えばホールにおける基板への不正行為を防止するための構成を備える必要がある。その対策として、従来から種々の構造が提案されている（例えば、特許文献１参照）。
この特許文献１には、分離可能な複数のケース体とこれら複数のケース体により形成される内部空間内に収容される制御基板とを有する制御基板装置を備え、ケース体間の境界を跨ぐようにしてシールを貼り付けた遊技機が開示されている。さらに説明すると、このシールは、背面側に粘着剤層が設けられ、シールを剥がす力に伴う応力によって一部が破壊される程度の脆性を有する矩形状のベース部材と、ベース部材の背面側に設けられ、識別情報が格納されたＩＣチップと、同じくベース部材の背面側に設けられ、シールを剥がす力に伴う応力によって一部が破壊される程度の脆性を有し、ＩＣチップに格納された識別情報を読取体に対して送信可能とする長尺状のアンテナと、を備えている。
【先行技術文献】
【特許文献】
【０００４】
【特許文献１】特開２００６−３０５３１９号公報
【発明の概要】
【発明が解決しようとする課題】
【０００５】
ここで、遊技機に搭載される各種の基板に不正行為を行う場合には、基板を収容する基板ケースを開封するために、基板ケースに貼付されたシールに加工を施すことになる。そのような加工としては、シールを剥がす剥離加工の他に、シールを切断する切断加工も考えられる。このような切断加工が施されたときには、シールを一見するだけでは明確に把握することが困難な場合が想定される。したがって、シールに切断加工が施されたことの何らかの痕跡を残して、その事実を確認できるようにしておく必要がある。
【０００６】
本発明は、貼付されているシールが切断されたことの痕跡を残すことが可能な基板ケースの封印方法を提供することを目的とする。
【課題を解決するための手段】
【０００７】
かかる目的のもと、本発明が適用される基板ケースの封印方法は、第１の構成部材３１および第２の構成部材３２を含んで基板ケース５７０が構成され、当該第１の構成部材３１と当該第２の構成部材３２とが互いに係合して遊技機１００の基板５３０を収容するための収容空間Ａを形成し、当該第１の構成部材３１と当該第２の構成部材３２とにわたってシール部材４０を貼付して封印する基板ケース５７０の封印方法であって、前記第１の構成部材３１に貼付される前記シール部材４０の第１の貼付部分４１，４４と前記第２の構成部材３２に貼付される当該シール部材４０の第２の貼付部分４２，４５との間に位置する当該シール部材４０の中間部分４３，４６を、当該第１の構成部材３１と当該第２の構成部材３２との間に形成される空間に位置して前記基板ケース５７０に貼付されず切断されたことの痕跡を残すことが可能な未貼付部分とすることを特徴とするものである。
【０００８】
なお、本欄における上記符号は、本発明の説明に際して例示的に付したものであり、この符号により本発明が減縮されるものではない。
【発明の効果】
【０００９】
本発明によれば、遊技機の基板ケースに貼付されているシールが切断されたことの痕跡を残すことが可能になる。
【図面の簡単な説明】
【００１０】
【図１】本実施の形態に係るパチンコ遊技機の概略正面図である。
【図２】本実施の形態に係るパチンコ遊技機を説明する図である。
【図３】枠部材の構成を説明する斜視図である。
【図４】第１の実施の形態に係るサブ基板ケースを説明する断面図である
【図５】サブ基板ケースのシールが切断された状態を示す断面図である。
【図６】第２の実施の形態に係るサブ基板ケースを説明する断面図である。
【図７】サブ基板ケースのシールが切断された状態を示す断面図である。
【発明を実施するための形態】
【００１１】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１２】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に装飾図柄により報知したり、キャラクタの登場やアイテムの出現による予告演出を表示したりする。なお、画像表示部１１４としては、例えば液晶表示装置、ＥＬ表示装置、ＬＥＤドット表示装置または７セグ表示装置等による構成例が考えられる。
また、本実施の形態では、遊技盤１１０の前面に、各種の演出に用いられる可動役物１１５および盤ランプ１１６を備えている。可動役物１１５は、遊技盤１１０に対して可動に構成され、可動による各種の演出を行い、また、盤ランプ１１６は、発光することで光による各種の演出を行う。
【００１３】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１４】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別電動役物（大入賞口１２５）、または予め定められた１の特別図柄表示器の何れかを作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球は第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１５】
なお、パチンコ遊技機１００は、所定の条件下で、特別図柄抽選時に大当たりが抽選される大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする（電チューサポート）場合がある。
【００１６】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。この大入賞口１２５は、通常は閉状態であるが特別図柄抽選の結果により所定条件（例えば３０秒経過または遊技球１０個の入賞）を満たすまで突出傾斜して開状態が維持されるラウンドを所定回数（例えば１５回または２回）だけ繰り返す。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。この表示器１３０の詳細は後述する。
【００１７】
賞球の払い出しについて説明する。第１始動口１２１、第２始動口１２２、大入賞口１２５および普通入賞口１２６に遊技球が入賞すると、遊技球が入賞した場所に応じて、１つの遊技球当たり規定個数の賞球が払い出される。その一例を示すと、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球がそれぞれ払い出される。なお、ゲート１２４を遊技球が通過したことを検出しても、それに連動した賞球の払い出しは無い。
【００１８】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００１９】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２０】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。なお、本実施の形態では、第１特別図柄表示器２２１および第２特別図柄表示器２２２は、７セグ表示装置で構成され、また、普通図柄表示器２２３は、ＬＥＤ表示装置で構成されている。
【００２１】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。この保留について説明する。変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。なお、本実施の形態では、第１特別図柄保留表示器２１８、第２特別図柄保留表示器２１９および普通図柄保留表示器２２０の各々は、一列に配設したＬＥＤ表示装置で構成され、その点灯態様によって保留数が表示される。
【００２２】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２３】
〔枠部材の構成〕
次に、パチンコ遊技機１００の枠部材１５０の構成について説明する。
図３は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０と、を備えている。
【００２４】
外枠１０は、４つの金属製の枠部材である右縦枠部材１１、左縦枠部材１２、上横枠部材１３および下横枠部材１４と、外枠１０の四隅に位置し、隣り合う枠部材を相互に連結する角部材１５とを有する。
外枠１０の前面下部には、下横枠部材１４と同じ方向（横方向、左右方向）に延びる幕板１６が取り付けられている。なお、幕板１６の上端の縦方向の位置は、下横枠部材１４の上端の縦方向の位置と略同一である。また、幕板１６の前面（遊技者側の面）には、例えば社名やロゴ等を付すことで意匠的な装飾を施すことが可能である。
また、外枠１０は、前面枠２０が開閉する際に前面枠２０と摺動する樹脂製の摺動部１７を有する。より具体的には、この摺動部１７は、下横枠部材１４に取り付けられている。また、摺動部１７は、下横枠部材１４の上面に位置し、かつ、前面枠２０の回転軸が位置する側とは反対側（同図での右側）に片寄って位置している。そして、摺動部１７は、前面枠２０の遊技盤保持枠２２が閉じている状態で遊技盤保持枠２２の下面と当接して前面枠２０を保持する。このため、前面枠２０が閉じている状態には、前面枠２０と幕板１６との間に、隙間が形成されることになる。
【００２５】
前面枠２０は、上下方向に回転軸が延びるように一側部（図１での左側部）が外枠１０に取り付けられている。付言すると、前面枠２０は、透明板を所定位置に保持する透明板保持枠２１と、遊技盤１１０を所定位置に保持する遊技盤保持枠２２とを備えている。そして、図３に示すように、閉めた状態の透明板保持枠２１および遊技盤保持枠２２を一体で外枠１０に対して回転させて開けることが可能である。また、図示を省略するが、透明板保持枠２１および遊技盤保持枠２２を閉めた状態において、透明板保持枠２１を単独で外枠１０および遊技盤保持枠２２に対して回転させて開けることが可能である。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００２６】
なお、遊技盤１１０の後面には、各種の基板等が取り付けられ、また、これら各種の基板等は、内部が視認可能な透明のカバー５１０によって覆われている。この各種の基板等について付言すると、遊技盤１１０の後面には、メイン基板およびサブ基板が配設されている。すなわち、遊技盤１１０の後面には、メイン基板として、内部抽選および当選の判定等を行う遊技制御部が構成された遊技制御基板５２０が配設されている。この遊技制御基板５２０は、開封することにより痕跡が残るように透明部材で構成されたメイン基板ケース５４０に密封されている。
【００２７】
また、サブ基板として、演出を統括的に制御する演出制御部が構成された演出制御基板５３０、画像および音による演出を制御する画像/音響制御部が構成された画像制御基板（不図示）、および、各種のランプおよび可動役物１１５による演出を制御するランプ制御部が構成されたランプ制御基板（不図示）等が配設されている。なお、後述するように、演出制御基板５３０は、サブ基板ケース５７０（図４参照）に収容されている。
また、遊技盤１１０の後面には、供給された２４ＶのＡＣ電源をＤＣ電源に変換して各種の基板等に出力するスイッチング電源５５０が配設されている。
付言すると、払出球の払い出し制御を行う払出制御部が構成された払出制御基板（不図示）と、払出制御基板により制御され、外部から補給された補給球を一時的に溜めておき、賞球の払い出しや貸し球の払い出しを行う払い出しユニット５６０と、が枠部材１５０の前面枠２０に配設されている。
【００２８】
〔第１の実施の形態〕
図４は、第１の実施の形態に係るサブ基板ケース５７０を説明する断面図である。
同図に示すサブ基板ケース５７０は、カバー５１０（図３参照）の内側に配置されているものである。このサブ基板ケース５７０は、基板ないし制御基板の一例としての演出制御基板５３０を収容するための収容空間Ａを形成する側面を有し、演出制御基板５３０にアクセス可能な開口部を有する第１の構成部材の一例としての本体部３１を備えている。また、サブ基板ケース５７０は、本体部３１の開口部を覆う第２の構成部材の一例としての蓋部３２を備えている。
付言すると、本体部３１および蓋部３２には、熱を外部に放出するための不図示の切欠きが形成されている。また、演出制御基板５３０は、２枚の基板を支柱により連結して構成されている。２枚の基板同士は、互いに線材により電気的に接続されている。演出制御基板５３０の表面（同図の右側の面）には各種の電子部品等が搭載されている。
この蓋部３２は、本体部３１と別体であり、本体部３１と係合する。そして、蓋部３２は、爪形状による嵌合構造やねじ締結構造により、本体部３１と容易に分離できないように構成されている。すなわち、サブ基板ケース５７０は、蓋部３２を開けて演出制御基板５３０にアクセスすることが困難なように構成されている。なお、蓋部３２は、本体部３１と共に収容空間Ａを形成する。
【００２９】
また、サブ基板ケース５７０は、本体部３１の側面（外面）３１ａの位置と蓋部３２の側面（外面）３２ａの位置とが互いに異なることにより形成されている段差部３３を有する。さらに説明すると、本体部３１と蓋部３２とが互いに係合する係合部分Ｃの位置は、段差部３３にある。なお、段差部３３を本体部３１および蓋部３２の側面３１ａ，３２ａに部分的に形成する構成が考えられ、また、側面３１ａ，３２ａの全周にわたって形成する構成も考えられる。
本実施の形態では、本体部３１の側面３１ａの位置が蓋部３２の側面３２ａの位置よりも外方であるようにすることで段差部３３を形成しているが、その逆の構成も考えられる。すなわち、本体部３１の側面３１ａの位置が蓋部３２の側面３２ａの位置よりも内方であるようにすることで段差部３３を形成することも考えられる。  
【００３０】
サブ基板ケース５７０は、段差部３３の付近に、本体部３１および蓋部３２に貼付されているシール部材の一例としてのシール４０を有する。このシール４０は矩形形状であり、そして、シール４０の両端部のうち一方の端部４１が本体部３１に貼付され、他方の端部４２が蓋部３２に貼付されている。すなわち、シール４０は、１枚で構成され、また、本体部３１と蓋部３２とにわたって貼付されている。
さらに説明すると、シール４０の中間部４３は、本体部３１および蓋部３２のいずれにも貼付されていない。中間部４３は、サブ基板ケース５７０に貼付されていない未貼付部分である。そして、シール４０は、所定の張力をもって端部４１，４２がサブ基板ケース５７０に貼付されている。このため、シール４０は、段差部３３に貼付されずに、段差部３３を横切るように延在している。なお、本実施の形態では、シール４０は、サブ基板ケース５７０の上面側に貼付されている。
ここで、シール４０において、端部４１は第１の貼付部分の一例であり、端部４２は第２の貼付部分の一例であり、中間部４３は中間部分の一例である。また、サブ基板ケース５７０は基板ケースの一例であり、サブ基板ケース５７０の段差部３３は、未貼付形成部の一例である。
【００３１】
付言すると、シール４０は、サブ基板ケース５７０から剥離すると再度の使用を行うことが不可能な接着剤でサブ基板ケース５７０に貼付されている。なお、シール４０は、例えばポリエステル、アクリル、塩化ビニル等のプラスチックを用いることが考えられ、また、外力が加えられると破損する脆性を有する材質を用いることが考えられる。接着剤としては、耐熱性を有するポリエステル系、ウレタン系の材料を用いることが考えられる。なお、接着剤は、シール４０の接着面の全面にわたって存在している。
このシール４０の表面には、蓋部３２を開けないように注意事項（例えば「開封厳禁」）が印刷されている。また、シール４０の表面には、サブ基板ケース５７０から剥離して別のシールが貼付されたことが一見して分かるようにするために固有の識別番号が付されている。なお、シール４０の表面に、偽造防止のための絵柄（例えばホログラム）を印刷することも考えられる。
本実施の形態では、本発明をサブ基板ケース５７０に適用する場合について説明しているが、メイン基板ケース５４０（図３参照）に適用することも考えられる。
【００３２】
次に、蓋部３２を開けようとしてシール４０に不正な加工が施される場合について説明する。
上述したように、シール４０は、端部４１，４２が張力をもって本体部３１および蓋部３２に貼付される一方で、シール４０の中間部４３は、本体部３１および蓋部３２に貼付されておらず、しかも段差部３３の空間を横切るように延在している。
【００３３】
シール４０を不正に切断しようとする者は、シール４０の貼付状態を観察すれば、シール４０の中間部４３を切断すれば切断し易いことを認識することができる。付言すると、サブ基板ケース５７０は、積極的にシール４０の切断し易い箇所（中間部４３）を形成する構造が採用されているということができる。また、サブ基板ケース５７０は、シール４０を切断する際の目印となる部分（中間部４３）を形成しているということもできる。
このような切断し易い箇所の形成や切断する際の目印となる部分の形成は、シール４０の端部４１，４２をサブ基板ケース５７０に貼付する作業を行うことで達成されるものであり、組み立て作業性を低下させるものではない。
【００３４】
図５は、サブ基板ケース５７０のシール４０が切断された状態を示す断面図である。
シール４０の中間部４３（図４参照）が刃物等を使用して切断されると、図５に示すように、シール４０は、端部４１（図４参照）を含む切断片４０ａと端部４２（図４参照）を含む切断片４０ｂとに分割される。この切断片４０ａは、本体部３１側に位置し、切断片４０ｂは、蓋部３２側に位置する。
中間部４３の切断によって、それまで作用していたシール４０の張力がなくなる。このため、切断片４０ａと切断片４０ｂのいずれか一方または両方は、その自重によって、本体部３１および蓋部３２に貼付されていない部分が段差部３３を形成する本体部３１ないし蓋部３２の側面３１ａ，３２ａに貼り付く。なお、切断後における切断片４０ａと切断片４０ｂの貼り付き状態は、シール４０の中間部４３が切断される位置によって異なるものであり、同図はその一例を示したものである。
【００３５】
このような貼り付き状態によって、サブ基板ケース５７０に貼付されているシール４０が切断されたことの痕跡が残り、切断されたことを一見して確認することができる。
また、シール４０は、一度剥離すると再び貼付することができず、シール４０の中間部４３が貼付されていない切断前の状態に戻すことは不可能になる。さらには、偽造が困難なシール４０を用いることで、切断したことを隠す偽装工作を行うことが困難になる。
【００３６】
さらに説明すると、サブ基板ケース５７０に段差部３３がない従来の構造では、シール４０のほぼ全面にわたってサブ基板ケース５７０に貼付されることになる。その場合には、シール４０を切断しようとする者は、例えば、本体部３１と蓋部３２との係合箇所に沿ってカッター等で切断する。そのような切断方法では、シール４０が切断されたことの痕跡が目立たないことから、切断によるシール４０の変化を視認することが困難であることが想定される。したがって、切断したシール４０をそのままにしていても、切断加工が施されたことを見逃してしまうおそれがある。
この点で、本実施の形態における構成では、シール４０が切断されたことの痕跡が目立つことから、シール４０に切断加工が施されたことを見逃してしまう事態を回避することができる。
【００３７】
〔第２の実施の形態〕
図６は、第２の実施の形態に係るサブ基板ケース５７０を説明する断面図である。
同図に示すサブ基板ケース５７０は、第１の実施の形態の場合と同様に、本体部３１および蓋部３２を備えている。蓋部３２は本体部３１に係合可能である。
この本体部３１は、側面３１ａから外方に突出する突出部３４を有する。また、蓋部３２は、本体部３１の突出部３４と離間して位置し、側面３２ａから外方に突出する突出部３５を有する。そして、サブ基板ケース５７０は、互いに離間している突出部３４と突出部３５との間に位置する凹形状部３６を有する。
【００３８】
さらに説明すると、突出部３４，３５は、長さ方向（紙面垂直方向）に沿って延びるように形成されている。また、本体部３１の突出部３４と蓋部３２の突出部３５とは、互いに対向するように形成されている。
付言すると、本実施の形態では、突出部３４，３５は、本体部３１と蓋部３２とが互いに係合する係合部分Ｃよりも離れた位置に形成されている。しかしながら、突出部３４と突出部３５とが互いに離間するように位置しているのであれば、突出部３４と突出部３５のいずれか一方が、係合部分Ｃと同じ位置に形成されていてもよい。したがって、係合部分Ｃは、凹形状部３６に位置している。
【００３９】
サブ基板ケース５７０は、本体部３１および蓋部３２に貼付されているシール４０を有する。このシール４０は、第１の実施の形態と同じく構成することができる。
さらに説明すると、シール４０の両端部のうち一方の端部４４が本体部３１の突出部３４に貼付され、他方の端部４５が蓋部３２の突出部３５に貼付されている。また、シール４０の中間部４６は、本体部３１および蓋部３２のいずれにも貼付されていない。すなわち、シール４０の中間部４６は未貼付部分である。
第１の実施の形態の場合と同様に、シール４０は、所定の張力をもって端部４４，４５がサブ基板ケース５７０に貼付され、中間部４６が突出部３４，３５に貼付されずに凹形状部３６を横切るように延在している。
ここで、シール４０において、端部４４は第１の貼付部分の一例であり、端部４５は第２の貼付部分の一例であり、中間部４６は中間部分の一例である。サブ基板ケース５７０において、本体部３１の突出部３４は第１の突出部の一例であり、蓋部３２の突出部３５は第２の突出部の一例であり、凹形状部３６は、未貼付形成部の一例である。
【００４０】
なお、本実施の形態について種々の変形例が考えられる。
例えば、本実施の形態では、突出部３４，３５の各々の高さは、略同一であるが、高さが互いに異なるように構成することも考えられる。すなわち、突出部３４が突出部３５よりも高く構成することが考えられ、また、突出部３５が突出部３４よりも高く構成することも考えられる。
また、本実施の形態では、本体部３１に突出部３４を形成すると共に、蓋部３２に突出部３５を形成しているが、本体部３１と蓋部３２のいずれか一方にのみ突出部３４ないし突出部３５を形成する構成である。具体的に説明すると、本体部３１に突出部３４を形成し、蓋部３２に突出部３５を形成しない構成や、蓋部３２に突出部３５を形成し、本体部３１に突出部３４を形成しない構成が考えられる。
【００４１】
図７は、サブ基板ケース５７０のシール４０が切断された状態を示す断面図である。
同図に示すように、シール４０は、刃物等を使用して切断されると、端部４４（図６参照）を含む切断片４０ａと端部４５（図６参照）を含む切断片４０ｂとに分割される。
シール４０の中間部４３での切断によって、それまで作用していたシール４０の張力がなくなり、本体部３１および蓋部３２のいずれにも貼付されていない中間部４３は、凹形状部３６の面に貼り付く。すなわち、切断片４０ａの内それまで未貼付の部分は、突出部４４と係合部分Ｃ（図６参照）との間に位置する本体部３１の領域に貼り付く。また、切断片４０ｂの内それまで未貼付の部分は、突出部４５と係合部分Ｃ（図６参照）との間に位置する蓋部３２の領域に貼り付く。
本実施の形態の場合にも、このような貼り付き状態によって、サブ基板ケース５７０に貼付されているシール４０が切断されたときには、シール４０の形態が変わることから、メンテナンス時などに確認することが可能になる。
【００４２】
このように、上述した第１の実施の形態および第２の実施の形態では、サブ基板ケース５７０に貼付されているシール４０が切断されたことの痕跡が残るので、シール４０が切断された事実を一見して確認することができる。
【符号の説明】
【００４３】
３１…本体部、３２…蓋部、３３…段差部、３４，３５…突出部、３６…凹形状部、４０…シール、４０ａ，４０ｂ…切断片、４１，４２，４４，４５…端部、４３，４６…中間部、１００…パチンコ遊技機、５３０…演出制御基板、５７０…サブ基板ケース
【図１】
0005575302.tif 000002
【図２】
0005575302.tif 000003
【図３】
0005575302.tif 000004
【図４】
0005575302.tif 000005
【図５】
0005575302.tif 000006
【図６】
0005575302.tif 000007
【図７】
0005575302.tif 000008